(57)【要約】      （修正有）【課題】製品の駆動力が不足しない、振動モーターを提供する。【解決手段】固定部材及び振動部材１２の一方は、コイル１４を含み、固定部材及び振動部材の他方は、第１の磁石鋼セット１２１及び第２の磁石鋼セット１２２を含み、第１の磁石鋼セット及び第２の磁石鋼セットは、それぞれ前記コイルの両側に設けられ、且つコイルに対向して設けられることにより第１の磁石鋼セット及び第２の磁石鋼セットによって形成される磁界が閉ループに形成される。振動モーター１では、２セットの磁石鋼をそれぞれコイルの両側に平行に設置すると共に、２セットの磁石鋼の組み合せによって、磁界に閉ループが形成されており、これはコイルが磁界の内部に位置することに相当し、当該構成によって、コイルが受けた磁界の強度は増大し、製品の駆動力が向上した。【選択図】図２
2017018935.tif 000002
【特許請求の範囲】
【請求項１】
固定部材及び振動部材を備え、前記固定部材は、収納空間を有するケーシングを含み、前記振動モーターは、弾性コネクターをさらに含み、前記弾性コネクターによって前記振動部材が片持ちで収納空間内に支持され、前記固定部材及び振動部材の一方は、コイルを含み、前記固定部材及び振動部材の他方は、第１の磁石鋼セット及び第２の磁石鋼セットを含み、前記第１の磁石鋼セット及び前記第２の磁石鋼セットは、それぞれ前記コイルの両側に設けられ、且つ前記コイルに対向して設けられることにより、前記第１の磁石鋼セット及び第２の磁石鋼セットによって形成される磁界が閉ループに形成されることを特徴とする振動モーター。
【請求項２】
前記第１の磁石鋼セットは、第１の中間磁石鋼と、前記第１の中間磁石鋼の両側にそれぞれ設けられている第１の左の磁石鋼及び第１の右の磁石鋼を含み、前記第１の左の磁石鋼と、前記第１の右の磁石鋼とは、磁極方向が逆であり、前記第２の磁石鋼セットは、第２の中間磁石鋼と、前記第２の中間磁石鋼の両側にそれぞれ対称的に設けられている第２の左の磁石鋼及び第２の右の磁石鋼を含み、前記第２の左の磁石鋼と、前記第２の右の磁石鋼とは、磁極方向が逆であり、
前記第１の左の磁石鋼及び前記第２の左の磁石鋼は、磁極方向が同じであり且つ前記コイルに直交し，前記第１の中間磁石鋼及び前記第２の中間磁石鋼は、磁極方向が逆であり、且つ前記コイルに平行し，前記第１の右の磁石鋼及び第２の右の磁石鋼は、磁極方向が同じ、且つ前記コイルに直交することを特徴とする請求項１に記載の振動モーター。
【請求項３】
前記振動部材は、第１の質量ブロック及び第２の質量ブロックを含み、前記第１の質量ブロックには、凹溝があり、前記凹溝は、底部及び底部の両側から延在している側壁を有し、前記凹溝の底部に第１の貫通孔が開口され、前記第１の磁石鋼セットは前記第１の貫通孔内に設けられ、
前記第２の質量ブロックは、前記凹溝の両前記側壁の間に係合され、前記第２の質量ブロックは前記凹溝の底部とは一定の距離を置いて、且つ第２の貫通孔を有し、前記第２の磁石鋼セットは前記第２の貫通孔内に設けられ、前記弾性コネクターの一端は前記ケーシングに固定的に接続され、他端は前記第１の質量ブロックに接続されることを特徴とする請求項１に記載の振動モーター。
【請求項４】
前記第１の質量ブロック及び第２の質量ブロックは一体成形されていることを特徴とする請求項３に記載の振動モーター。
【請求項５】
前記振動部材は、第１の極コア及び第２の極コアをさらに備え、前記第１の極コアは、前記凹溝の底面における前記第２の質量ブロックから離れた表面に貼り付けられ、前記第２の極コアは、前記第２の質量ブロックにおける前記凹溝の底面から離れた表面に貼り付けられていることを特徴とする請求項３に記載の振動モーター。
【請求項６】
前記固定部材は、前記ケーシング内に固定的に設けられているコイル架台をさらに含み、前記コイル架台は、前記コイルを支持するための支持部と、前記支持部から屈曲して延在していると共に前記ケーシングに接続されているマウントとを含み、前記支持部は、前記第１の質量ブロックと第２の質量ブロックとの間に位置していることを特徴とする請求項３に記載の振動モーター。
【請求項７】
当該振動モーターは、減衰部品をさらに備え、前記減衰部品は、前記第１の質量ブロックに接続され、且つ前記第１の質量ブロックと前記弾性コネクターとの間に位置していることを特徴とする請求項３に記載の振動モーター。
【請求項８】
当該振動モーターは、フレキシブル回路基板をさらに備え、前記フレキシブル回路基板は前記コイルに電気的に接続されることを特徴とする請求項１に記載の振動モーター。
【発明の詳細な説明】
【技術分野】
【０００１】
本発明は振動モーターに関する技術であり、特に携帯型の消費者向け電子製品に適用可能な振動モーターに関する。
【背景技術】
【０００２】
電子技術の発展に伴い、携帯型の消費者向け電子製品、例えば、携帯電話、携帯ゲーム機、ナビゲーション装置又は携帯型マルチメディア娯楽デバイスなどは、ますます人々から好まれるようになる。これらの電子製品では、例えば携帯電話の着信提示、情報提示、ナビ提示、ゲーム機の振動フィードバックなどのようなシステムフィードバックとして、振動モーターが通常に用いられている。
【０００３】
関連技術に係わる振動モーターは、構成から見ると、磁石鋼がコイルの片側に位置するため、動作するとき、磁界が発散するため、磁界強度が弱くなり、製品の駆動力が不足してしまう。
【発明の概要】
【発明が解決しようとする課題】
【０００４】
上述振動モーターでは片側の磁界の強度が弱く、製品の駆動力が不足するという技術問題に鑑みて、本発明は振動モーターを提供する。
【課題を解決するための手段】
【０００５】
前記振動モーターは、固定部材及び振動部材を備え、前記固定部材は、収納空間を有するケーシングを含み、前記振動モーターは、弾性コネクターをさらに含み、前記弾性コネクターによって前記振動部材が片持ちで収納空間内に支持され、前記固定部材及び振動部材の一方は、コイルを含み、前記固定部材及び振動部材の他方は、第１の磁石鋼セット及び第２の磁石鋼セットを含み、前記第１の磁石鋼セット及び前記第２の磁石鋼セットは、それぞれ前記コイルの両側に設けられ、且つ前記コイルに対向して設けられることにより前記第１の磁石鋼セット及び第２の磁石鋼セットによって形成される磁界が閉ループに形成される。
【０００６】
本発明の好ましい実施例において、前記第１の磁石鋼セットは、第１の中間磁石鋼と、前記第１の中間磁石鋼の両側にそれぞれ設けられている第１の左の磁石鋼及び第１の右の磁石鋼を含み、前記第１の左の磁石鋼と、前記第１の右の磁石鋼とは、磁極方向が逆であり、前記第２の磁石鋼セットは、第２の中間磁石鋼と、前記第２の中間磁石鋼の両側にそれぞれ対称的に設けられている第２の左の磁石鋼及び第２の右の磁石鋼を含み、前記第２の左の磁石鋼と、前記第２の右の磁石鋼とは、磁極方向が逆である。
【０００７】
前記第１の左の磁石鋼及び前記第２の左の磁石鋼は、磁極方向が同じであり、且つ前記コイルに直交し，前記第１の中間磁石鋼及び前記第２の中間磁石鋼は、磁極方向が逆であり、且つ前記コイルに平行しており，前記第１の右の磁石鋼及び第２の右の磁石鋼は、磁極方向が同じであり、且つ前記コイルに直交する。
【０００８】
本発明の好ましい実施例において、前記振動部材は、第１の質量ブロック及び第２の質量ブロックを含み、前記第１の質量ブロックには、凹溝があり、前記凹溝は、底部及び底部の両側から延在している側壁を有し、前記凹溝の底部に第１の貫通孔が開口され、前記第１の磁石鋼セットは前記第１の貫通孔内に設けられている。
【０００９】
前記第２の質量ブロックは、前記凹溝の両前記側壁の間に係合され、前記第２の質量ブロックは前記凹溝の底部とは一定の距離を置いて、且つ第２の貫通孔を有し、前記第２の磁石鋼セットは前記第２の貫通孔内に設けられ、前記弾性コネクターの一端は前記ケーシングに固定的に接続され、他端は前記第１の質量ブロックに接続される。
【００１０】
本発明の好ましい実施例において、前記第１の質量ブロック及び第２の質量ブロックは一体成形されている。
【００１１】
本発明の好ましい実施例において、前記振動部材は、第１の極コア及び第２の極コアをさらに備え、前記第１の極コアは、前記凹溝の底面における前記第２の質量ブロックから離れた表面に貼り付けられ、前記第２の極コアは、前記第２の質量ブロックにおける前記凹溝の底面から離れた表面に貼り付けられている。
【００１２】
本発明の好ましい実施例において、前記固定部材は、前記ケーシング内に固定的に設けられているコイル架台をさらに含み、前記コイル架台は、前記コイルを支持するための支持部と、前記支持部から屈曲して延在していると共に前記ケーシングに接続されているマウントとを含み、前記支持部は、前記第１の質量ブロックと第２の質量ブロックとの間に位置している。
【００１３】
本発明の好ましい実施例において、当該振動モーターは、減衰部品をさらに備え、前記減衰部品は、前記第１の質量ブロックに接続され、且つ前記第１の質量ブロックと前記弾性コネクターとの間に位置している。
【００１４】
本発明の好ましい実施例において、当該振動モーターは、フレキシブル回路基板をさらに備え、前記フレキシブル回路基板は前記コイルに電気的に接続される。
【００１５】
上記振動モーターに比べて、本発明に提供される振動モーターでは、２セットの磁石鋼をそれぞれコイルの両側に平行に設置すると共に、２セットの磁石鋼の組み合せによって、磁界に閉ループが形成されており、これはコイルが磁界の内部に位置することに相当する。当該構成によって、コイルが受けた磁界の強度は増大し、製品の駆動力が向上した。
【図面の簡単な説明】
【００１６】
本発明の実施例における技術的解決手段をより明確に説明するために、以下の実施例の説明に必要な図面について簡単に紹介する。明らかに、以下の説明に利用される図面は、本発明の幾つかの実施例に過ぎず、当業者にとっては、創造的な労働をしないことを前提にして、これらの図面からその他の図面を想到することができる。
【図１】本発明に提供される振動モーターの実施例の斜視構造模式図である。
【図２】図１に示される振動モーターの斜視分解図である。
【図３】図１に示される振動モーターのカバーが取り外された平面図である。
【図４】図１に示される振動モーターにおける磁石鋼の磁極方向の動作原理図である。
【発明を実施するための形態】
【００１７】
以下は本発明の実施例における技術的解決手段について詳しく統合的に説明する。もちろん、説明の実施例は本発明の一部の実施例に過ぎず、全部の実施例ではない。本発明における実施例に基づいて、当業者が創造的な労働をしないことを前提として得られた全ての他の実施例は、全部本発明の保護請求範囲に含まれる。
【００１８】
本発明は、図１、図２及び図３を参照しながら振動モーターを開示した。そのうち、図１は、本発明に提供される振動モーターの実施例の斜視構造模式図であり、図２は、図１に示される振動モーターの斜視分解図であり、図３は、図１に示される振動モーターのカバーが取り外された平面図である。振動モーター１は、固定部材１１及び振動部材１２を備え、固定部材１１は、収納空間を有するケーシング１１１を備え、ケーシング１１１は、カバー１１５及びハウジング１１６を含み、カバーとハウジング１１６とで収納空間を囲んで形成する。振動モーター１は、弾性コネクター１３をさらに備え、弾性コネクター１３によって、振動部材１２を片持ちで収納空間内に支持する。
【００１９】
振動部材１２は、第１の質量ブロック１２３と、第１の質量ブロック１２３内に収納される第１の磁石鋼セット１２１と、第２の質量ブロック１２４と、第２の質量ブロック１２４内に収納される第２の磁石鋼セット１２２と、第１の質量ブロック１２３に接続される第１の極コア１２５と、第２の質量ブロック１２４に接続される第２の極コア１２６とを備える。第１の質量ブロック１２３には、凹溝１２３１があり、凹溝１２３１は、底部１２３１３及び底部の両側から延在している側壁１２３１５を有し、凹溝１２３１の底部に第１の貫通孔１２３１１が開口され、第１の磁石鋼セット１２１は第１の貫通孔１２３１１内に設けられ、第１の極コア１２５は、凹溝１２３１の底面における第２の質量ブロック１２４から離れた表面に貼り付けられる。第２の質量ブロック１２４は、凹溝１２３１の両側壁１２３１５の間に係合され、第２の質量ブロック１２４は凹溝１２３１の底部とは一定の距離を置いて、且つ第２の貫通孔１２４１を有し、第２の磁石鋼セット１２２は第２の貫通孔１２４１内に設けられ、第２の極コア１２６は、第２の質量ブロック１２４における凹溝１２３１の底面から離れた表面に貼り付けられる。弾性コネクター１３の一端はケーシング１１１に固定接続され、他端は、第１の質量ブロック１２３に接続される。好ましくは、第１の質量ブロック１２３と第２の質量ブロック１２４は一体成形されている。
【００２０】
固定部材１１は、ケーシング１１１内に固定的に設けられているコイル架台１１２を含み、コイル架台１１２は、コイル１４を支持するための支持部１１３と、支持部１１３から屈曲して延在していると共に、ハウジング１１６に接続されているマウント１１４を含み、支持部１１３は、第１の質量ブロック１２３と第２の質量ブロック１２４との間に位置している。
【００２１】
第１の磁石鋼セット１２１及び第２の磁石鋼セット１２２は、それぞれコイル１４の両側に設けられ、且つコイル１４に対向して設けられる。これにより、第１の磁石鋼セット１２１と第２の磁石鋼セット１２２とによって形成される磁界が閉ループになっている。
【００２２】
第１の磁石鋼セット１２１は、第１の中間磁石鋼１２１２と、第１の中間磁石鋼１２１２の両側にそれぞれ対称的に設けられている第１の左の磁石鋼１２１１及び第１の右の磁石鋼１２１３を含み、第１の左の磁石鋼１２１１と、第１の右の磁石鋼１２１３とは、磁極方向が逆である。
【００２３】
第２の磁石鋼セット１２２は、第２の中間磁石鋼１２２２と、第２の中間磁石鋼１２２２の両側にそれぞれ対称的に設けられている第２の左の磁石鋼１２２１及び第２の右の磁石鋼１２２３を含み、第２の左の磁石鋼１２２１と、第２の右の磁石鋼１２２３とは、磁極方向が逆である。
【００２４】
第１の左の磁石鋼１２１１と第２の左の磁石鋼１２２１の磁極方向は同じであり、且つコイル１４に直交している。第１の中間磁石鋼１２１２と第２の中間磁石鋼１２２２の磁極方向は逆であり、且つコイル１４に平行している。第１の右の磁石鋼１２１３と第２の右の磁石鋼１２２３の磁極方向は同じであり、且つコイル１４に直交している。
【００２５】
第１の中間磁石鋼１２１２と、第１の左の磁石鋼１２１１と、第１の右の磁石鋼１２１３とは、それぞれ第２の中間磁石鋼１２２２と、第２の左の磁石鋼１２２１と第２の右の磁石鋼１２２３に対向している。
【００２６】
当該振動モーター１は、減衰部品１６及びフレキシブル回路基板１７をさらに備え、減衰部品１６は、第１の質量ブロック１２３に接続され、且つ第１の質量ブロック１２３と弾性コネクター１３との間に位置し、フレキシブル回路基板１７はコイル１４に電気的に接続される。
【００２７】
図４を参照すると、これは図１に示される振動モーターにおける磁石鋼の磁極方向の動作原理図である。本実施例において、第１の左の磁石鋼１２１１の磁極方向は、コイル１４に対してはＳ極からＮ極までであり、第１の右の磁石鋼１２１３の磁極方向は、コイル１４に対してＮ極からＳ極までである。第１の中間磁石鋼１２１２の磁極方向は、Ｓ極からＮ極までであり、第２の左の磁石鋼１２２１の磁極方向は、コイル１４に対してはＮ極からＳ極までであり、第２の右の磁石鋼１２２３の磁極方向は、コイル１４に対してはＳ極からＮ極までであり、第２の中間磁石鋼１２２２の磁極方向は、Ｎ極からＳ極までである。第１の左の磁石鋼１２１１と、第１の中間磁石鋼１２１２と、第１の右の磁石鋼１２１３、および第２の右の磁石鋼１２２３と、第２の中間磁石鋼１２２２と、第２の左の磁石鋼１２２１とは、相互に作用して、磁界が閉ループになっている。
【００２８】
振動モーター１が動作するとき、フレキシブル回路基板１７を介してコイル１４に通電して磁界を発生させるため、第１の磁石鋼セット１２１及び第２の磁石鋼セット１２２は力を受ける。電流の方向は時間とともに変化するため、第１の磁石鋼セット１２１及び第２の磁石鋼セット１２２が力を受ける方向も変化する。それにより、弾性コネクター１３の支持で、往復に移動するように第１の磁石鋼セット１２１、第２の磁石鋼セット１２２、第１の質量ブロック１２３及び第２の質量ブロック１２４が駆動される。
【００２９】
以上から分かるように、本発明に提供される振動モーターでは、２セットの磁石鋼をそれぞれコイルの両側に平行に設置し、２セットの磁石鋼が互いに作用することによって、磁界が閉ループに形成されて、コイルが磁界の内部に位置することに相当する。当該構成により、コイルが受けた磁界の強度は増大し、製品の駆動力が向上した。
【００３０】
上述は、本発明の実施形態に過ぎず、本発明の特許請求の範囲を限定するものではない。本発明の明細書及び図面の内容に基づいて作れる等価構成又は等価変換フロー、あるいは他の関連技術分野における直接又は間接運用は、全て同様に本発明の特許請求の範囲内に含まれる。
【図１】
2017018935.tif 000003
【図２】
2017018935.tif 000004
【図３】
2017018935.tif 000005
【図４】
2017018935.tif 000006